(57)【要約】      （修正有）【課題】検体検査前処理システムで運用した結果を自動で解析し、解析した結果に基づいてユーザが所望する最適なシステム構成レイアウトを提案するソフトウェアを提供する。【解決手段】検体検査前処理システムの操作部に保存されている各モジュール間の通信トレースの内容から必要な情報を自動的に取得し、ＴＡＴ解析やラックの検索や検体の検索を行う。また、新規システムの導入や既存のシステムの拡張や変更を検討しているユーザに対して、ユーザが希望するスペックを満たすシステムレイアウトの構成を提案することができる。【選択図】図２
2014055907.tif 000002
【特許請求の範囲】
【請求項１】
血液や尿などの検体を収容する検体容器を載置したラックを搬送する搬送装置と、
前記検体に対して所定の処理を施す複数のモジュールと、を備えた検体検査前処理システムにおいて、
当該システムを構成するモジュールのレイアウトが異なる複数種類のシステムレイアウトを記憶する記憶装置と、
前記記憶装置に記憶された複数のシステムレイアウトのうち、所定のスペックを満たすシステムレイアウトを抽出する制御装置と、を備えたことを特徴とする検体検査前処理システム。
【請求項２】
請求項１記載の検体検査前処理システムにおいて、
前記記憶装置は、当該検体検査前処理システムの各モジュールにおける検体の処理状況に関する情報を記憶し、
前記記憶装置に記憶されている処理状況に関する情報に基づいて、当該システムにおけるアラームの発生状況、投入から搬出までの所要時間（ＴＡＴ時間）、任意の検体又は任意のラックの処理状況を解析する解析機能を有する検体検査前処理システム。
【請求項３】
請求項２記載の検体検査前処理システムにおいて、
前記所定のスペックを入力可能な入力装置を備えたことを特徴とする検体検査前処理システム。
【請求項４】
請求項２記載の検体検査前処理システムにおいて、
前記記憶装置は、記憶された複数のシステムレイアウトの夫々について、前記解析機能による解析データを関連付けて記憶し、
前記制御装置は、当該解析データに基づいて所定のスペックを満たすか否かを判別して抽出することを特徴とする検体検査前処理システム。
【請求項５】
請求項１〜３のいずれかに記載の検体検査前処理システムにおいて、
前記解析した結果を表示する表示装置を備えたことを特徴とする検体検査自動化システム。
【請求項６】
請求項５記載の検体検査前処理システムにおいて、
前記表示装置に抽出されたシステムレイアウトを表示することを特徴とする検体検査前処理システム。
【請求項７】
血液や尿などの検体を収容する検体容器を載置したラックを搬送する搬送装置と、
前記検体に対して所定の処理を施す複数のモジュールと、を備えた検体検査前処理システムの制御装置において、
当該システムを構成するモジュールのレイアウトが異なる複数種類のシステムレイアウトを記憶する記憶部を備え、
前記記憶部に記憶された複数のシステムレイアウトのうち、所定のスペックを満たすシステムレイアウトを抽出することを特徴とする制御装置。
【請求項８】
請求項７記載の制御装置において、
当該接続装置が接続された検体検査前処理システムについて、当該システムにおけるアラームの発生状況、投入から搬出までの所要時間（ＴＡＴ時間）、任意の検体又は任意のラックの処理状況を解析する解析機能を有する制御装置。
【請求項９】
請求項８記載の制御装置において、
前記所定のスペックを入力可能な入力部を備えたことを特徴とする制御装置。
【請求項１０】
請求項８記載の制御装置において、
記憶された複数のシステムレイアウトの夫々について、前記解析機能による解析データを関連付けて記憶しており、当該解析データに基づいて所定のスペックを満たすか否かを判別して抽出することを特徴とする制御装置。
【請求項１１】
請求項８記載の制御装置において、
前記記憶部は、当該制御装置が解析機能によりデータ解析したシステムのシステムレイアウトおよび当該システムのデータ解析結果に関する情報を記憶することを特徴とする制御装置。
【請求項１２】
請求項１１記載の制御装置において、
当該制御装置は複数の検体検査前処理システムについてデータ解析が可能であることを特徴とする制御装置。
【請求項１３】
請求項７から１２のいずれかに記載の制御装置において、
当該制御装置は、前記解析機能によるデータ解析結果を表示する表示装置を備えたことを特徴とする制御装置。
【請求項１４】
請求項１３記載の制御装置において、
前記表示部は、抽出されたシステムレイアウトを表示することを特徴とする制御装置。
【発明の詳細な説明】
【技術分野】
【０００１】
本発明は、血液や尿等の生体試料に前処理を施す検体処理システムに係り、特に運用した結果を自動で解析する機能を有する検体処理システム、及び当該検体検査前処理システムを解析、統計、評価する方法に関する。
【背景技術】
【０００２】
検体検査前処理システムでの検体処理状況の解析は顧客の関心事項であると同時に、根本的な要求事項である。緊急性を伴う事例の場合には重要な要素となり、検体検査前処理システムでの問題点の早期発見や検体検査前処理システムの処理能力を高速かつ正確に把握する必要がある。
【０００３】
これらのＴＡＴ解析やアラーム解析、ラックや検体の検索を手動で行うと、解析が完了するまでに膨大な時間を要し、また情報量が多いためヒューマンエラーが発生するおそれがあった。
【０００４】
このような解析を自動化する方法として、例えば、特許文献１には検体投入から結果出力までの時間を自動的に予測するシステムが開示されている。
【先行技術文献】
【特許文献】
【０００５】
【特許文献１】特開２００３−１５６３８０号公報
【発明の概要】
【発明が解決しようとする課題】
【０００６】
特許文献１に記載された方法では、検体投入から結果出力までに要する時間を予測するためには、実際の装置での運用結果に基づいて予想されている。従い、新規のシステムの導入を検討しているユーザや、既存のシステムの拡張、変更を検討しているユーザは、実際にシステムを組み立てて検体を投入してみないと、システムの実際の処理能力を把握するのができなかった。
【０００７】
一方で、検体検査前処理システムは、ユーザのニーズによってシステム内のモジュールの配置や個数、レイアウトを自由に組み替え可能であり、システム構成に伴ってシステムの稼働効率が著しく変化する恐れがあるため、システムの導入や変更に先立って、希望するスペックを満たすか否かを知りたいというニーズがあった。
【０００８】
上記課題に鑑み本発明では、検体検査前処理システムでの通信トレース解析を自動化し、高速かつ正確に把握可能なソフトウェアを提供することを目的とする。
【０００９】
また本発明の他の目的は、システム組み替えの際に実際の稼働データから希望する仕様を満たすシステム構成例を提案可能なソフトウェアを提供することである。
【課題を解決するための手段】
【００１０】
上記に鑑みた本発明の構造は以下の通りである。すなわち、血液や尿などの検体を収容する検体容器を載置したラックを搬送する搬送装置と、前記検体に対して所定の処理を施す複数のモジュールと、を備えた検体検査前処理システムにおいて、当該システムを構成するモジュールのレイアウトが異なる複数種類のシステムレイアウトを記憶する記憶装置と、前記記憶装置に記憶された複数のシステムレイアウトのうち、所定のスペックを満たすシステムレイアウトを抽出する制御装置と、を備えたことを特徴としている。
【発明の効果】
【００１１】
各解析結果を視覚化することによって、直感的にどのモジュールでアラームが発生しているのか、どのモジュールで負荷が上がっているのか、ラック及び検体がどのモジュールで処理されたかを直感的に確認することができる。
【００１２】
また、新規システムの導入や既存のシステムの拡張や変更を検討しているユーザに対して、ユーザが希望するスペックを満たすシステムレイアウトの構成を提案することができる。
【図面の簡単な説明】
【００１３】
【図１】本発明のデータ構成を示す図である。
【図２】本発明のメイン画面の一例を示す図である。
【図３】本発明のメニュー画面の一例を示す図である。
【図４】本発明のアラーム解析実行画面の一例を示す図である。
【図５】本発明のアラーム解析におけるパラメータ設定ウィンドウの一例を示す図である。
【図６】本発明のＴＡＴ解析実行画面の一例を示す図である。
【図７】本発明のＴＡＴ解析におけるパラメータ設定ウィンドウの一例を示す図である。
【図８】本発明のラックＩＤ検索実行画面の一例を示す図である。
【図９】本発明のラックＩＤ検索におけるパラメータ設定ウィンドウの一例を示す図である。
【図１０】本発明の検体ＩＤ検索実行画面の一例を示す図である。
【図１１】本発明の検体ＩＤ検索におけるパラメータ設定ウィンドウの一例を示す図である。
【図１２】本発明のシステム解析実行画面の一例を示す図である。
【図１３】本発明のシステム解析におけるパラメータ設定ウィンドウの一例を示す図である。
【図１４】本発明のアラーム解結果画面の一例を示す図である。
【図１５】本発明のＴＡＴ解析結果画面の一例を示す図である。
【図１６】本発明のラックＩＤ検索結果画面の一例を示す図である。
【図１７】本発明の検体ID検索結果画面の一例を示す図である。
【図１８】本発明のシステム解析結果画面の一例を示す図である。
【発明を実施するための形態】
【００１４】
本システムでは、当該システムに検体を投入する検体投入モジュール、投入された検体に遠心分離処理を施す遠心分離モジュール、栓体が装着されている検体容器を開栓する開栓モジュール、投入された親検体から必要な数量の子検体を作成する分注モジュール、分注モジュールで作成された子検体容器に必要な情報を書き込んだバーコードを添付するバーコードラベラモジュール、必要に応じて親検体容器または子検体容器に栓体を装着し閉栓する閉栓モジュール等からなっている。本発明を実施する上で検体前処理システムの構成は、上記モジュールの全てを備えている必要はないし、他の機能を持つモジュールを含んでいても良い。また、同一のモジュールを複数備えていても良い。
【００１５】
検体前処理システムの検体投入モジュールに検体をセットすると、オペレータは入出力装置（たとえばＰＣなど）により、各検体に対する処理内容を指示する。処理内容とは、例えば、子検体をどれくらい作成する必要があるか、遠心分離処理が必要か否か、を判断するための情報である。
【００１６】
図１は本発明のシステム構成を示す図である。本発明の機能であるデータ解析機能を使用するためのメイン画面を起動すると同時に、各モジュールについて保存されている複数の通信トレース１０１を読み込み、これらをまとめて一つのデータ１０２に編集する。以降のデータ解析においては、データ１０２を用いてデータの解析を行なう。
【００１７】
図２は本発明のメイン画面１０６の一例である。メイン画面１０６は入出力装置のディスプレイに表示される。メイン画面１０６では、データ解析の目的に応じて、アラームタブ、ＴＡＴタブ、ラックＩＤタブ、検体ＩＤタブの各タブが設けられており、いずれかのタブを選択することにより所望の状況解析を実施することができる。各タブで実行可能な解析内容の詳細については後述する。
【００１８】
なお、メイン画面１０６は、検体検査前処理システムのバージョンを表示するウィンドウ１０３と、検体検査前処理システムのシステムイメージとして、検体前処理システムを構成する各モジュールの配列をアイコンで表示するウィンドウ１０４を表示する。
【００１９】
なお、図２において、各モジュールは略称で表示されており、ＩＰＢは検体投入モジュール、ＡＣＵは遠心分離モジュール、ＤＳＰは開栓モジュール、ＡＱＮは分注モジュール、ＢＣＬはバーコードラベラモジュール、ＲＳＰは閉栓モジュール等、機能に基づく個別のモジュールを示している。以下本実施例について同様である。
【００２０】
メイン画面１０２の左側には図３に示すメニュー画面が表示されていても良い。メニュー画面には、各タブと同様の機能が選択可能に表示されている。本実施例においてメニュー画面には、アラーム解析ボタン２０１、ＴＡＴ解析ボタン２０２、ラックＩＤ検索ボタン２０３、検体ＩＤ検索ボタン２０４、システム解析ボタン２０５が表示されている。いずれかのボタンをクリックすることで、目的の機能を実施させることが可能となり、タブと同様の動作が可能である。
【００２１】
図４はアラーム解析タブ、もしくはアラーム解析ボタン２０１を選択した場合に入出力装置に表示されるアラーム解析画面２０６を示す図である。アラーム解析画面に表示されるパラメータ表示部２０７では、アラーム解析のパラメータを設定可能である。
【００２２】
パラメータ設定ウィンドウの詳細を図５に示す。パラメータ設定ウィンドウでは、アラーム解析をする日付を設定する期間設定ウィンドウ２１１、統計種別（年、月、週、日、時間、曜日）を設定する統計種別設定ウィンドウ２１２、データ解析する時間帯を設定する時間設定ウィンドウ２１３、データ解析するレベルを設定するレベル設定ウィンドウ２１４、解析するアラームを設定するアラーム設定ウィンドウ２１５を備える。
【００２３】
例えば、期間設定ウィンドウ２１１では、何日から何日までのデータを用いてアラーム解析を実施するか選択することができる。通常は、通信トレース内の最新の年月日が自動的に表示される。統計種別設定ウィンドウ２１２では、アラーム解析結果を統計する際の統計種別を選択することができる。ここで統計種別とは、アラーム解析を統計する単位を、年、月、週、日、時間、曜日、のいずれかから選択することができ、オペレータはアラーム解析の目的に応じて所望の単位で解析が可能となる。時間設定ウィンドウ２１３では、アラーム解析を実行する時間帯を設定可能である。レベル設定ウィンドウで２１４は、アラーム解析に用いるアラームのレベルを設定可能である。検体前処理装置で使用されるアラームには、その緊急度合いに応じて様々なレベルのアラームがあるため、オペレータはアラーム解析の目的に応じて、解析したいアラームのレベルを選択する。
【００２４】
システム構成表示ウィンドウ２０９では現時のシステム構成がアイコンによって模擬的に表示される。解析を行なう実施モジュールを構成情報ウィンドウから選択可能にしても良い。
【００２５】
オペレータは各種パラメータを設定した後、実行ボタン２１０をクリックすることにより、設定したパラメータに基づいてアラームの解析をスタートさせる。アラーム解析時には、指定したパラメータを元に解析を実行するが、同時にシステムで処理した検体数やラック、ホルダ数も求める。
【００２６】
アラーム解析結果を表示するアラーム解析結果画面３０１の一例を図１４に示す。当該画面は、２０１０年１１月１５日に起きたアラームを時間単位で解析した結果を示しており、棒グラフは各モジュール（本図面ではＤＳＰモジュール）に生じたアラームの件数、折れ線グラフはそれぞれ検体数およびラック数を示している。
【００２７】
図６は、ＴＡＴ解析タブ、もしくはＴＡＴ解析ボタン２０２を選択した場合に入出力装置に表示されるＴＡＴ解析画面２１６を示す図である。ＴＡＴ解析画面に表示されるパラメータ表示部でも同様に解析のパラメータを設定することができる。パラメータ設定ウィンドウの詳細を図７に示す。期間設定ウィンドウ２２０、統計種別設定ウィンドウ２２１、時間設定ウィンドウ２２２が備わっており、任意のパラメータを選択し、設定することが可能である。
【００２８】
ＴＡＴ解析画面では、システム構成表示ウィンドウ２１８で任意のモジュールを選択することにより、ＴＡＴの解析を行いたいモジュールを選択できるようにしても良い。オペレータはＴＡＴ解析を行いたいモジュールのイメージ図を選択、もしくはチェックすることで該当モジュールのＴＡＴ解析が可能となる。この状態で実行ボタン２１９をクリックするとＴＡＴ解析処理が実行される。
【００２９】
ＴＡＴ解析結果画面３０２の一例を図１５に示す。当該画面は、２０１０年１２月１４日に実施された分析のＴＡＴを表示している。本実施例においては、ＴＡＴ解析結果画面において各モジュールに到着してから次のモジュールに搬送されるまで、あるいは、当該モジュールでの処理が終了するまでに要した時間を、時間単位で解析した結果を示している。
【００３０】
図８および図９は、ラックＩＤ検索タブ、もしくはラックＩＤ検索ボタン２０３を選択した場合に入出力装置に表示されるラックＩＤ検索画面２２３を示す図である。
【００３１】
ラックＩＤ検索画面に表示されるパラメータ表示部でも同様にラックＩＤ検索のパラメータを設定することができる。ラックＩＤ検索ウィンドウには、ラックＩＤを検索する日付を設定する日付設定ウィンドウ２２６および、検索対象の時間帯を設定する設定ウィンドウ２２８が設けられている。これらの設定ウィンドウに任意の日時を入力し、検索開始ボタン２２９を入力することにより、検索結果一覧ウィンドウ２３０に該当する期間に処理されたラックＩＤの一覧が表示される。表示されたラックＩＤにカーソルを移動すると、投入された時刻が表示される。また、再投入のラックについてはラックＩＤの後ろに＊マークを表示している。
【００３２】
任意のラックＩＤを選択すると、選択ラックＩＤ表示ウィンドウ２２７にラックＩＤが表示される。この状態で実行ボタン２２５をクリックすると、ラックＩＤ検索処理が実行される。
【００３３】
ラックＩＤ検索結果画面３０３の一例を図１６に示す。
【００３４】
この画面では、ラックＩＤ：０１０１７を有するラックが、各モジュールをどのように処理されたかを視覚的に分かりやすく表示している。当該ラックは時刻１４：５５：５３にＩＰＢモジュールに投入され、ＡＣＵモジュール、ＤＳＰモジュール、ＡＱＮモジュール、ＲＳＰモジュール、ＯＰＢモジュールへ順次搬送されている。検索結果には各モジュールに到着した時間が表示される。また、ＩＰＢモジュールに投入してから経過したトータル時間がカッコ書きで記載されている。
【００３５】
検索結果画面は、一目でラックの状態が分かるよう、色彩及び／又は形状でラックのステータス等が分かるものが望ましい。例えば、親検体は黄色、子検体は赤等で色分けされていても良い。さらに、初回投入検体と再検投入検体を一目で見分けられるように、異なる形状で表示することが望ましい。本実施例では、初回投入検体を丸で表示し、再検投入検体を四角形で表示している。このように表示させることにより、図１０に表示されているのは、初回投入の親検体であることが分かる。
【００３６】
表示した検索結果は必要に応じて、印刷、保存できるように、印刷ボタン及び保存ボタンを設けていても良い。
【００３７】
図１０は、検体ＩＤ検索タブ、もしくは検体ＩＤ検索ボタン２０４を選択した場合に、入出力装置に表示される検体ＩＤ検索画面２３１を示す図である。
【００３８】
本画面に表示されるパラメータ表示部でも同様に、検体ＩＤ検索の各種パラメータを設定することができる。パラメータ設定ウィンドウの詳細は図１１に示す。日付指定ウィンドウ２３３はウィンドウの横のカレンダマークをクリックすることにより、期間を任意に設定できる。必要に応じて検体ＩＤ検索ウィンドウの中の時間検索ウィンドウ２３５または検体ＩＤウィンドウに入力して、検索開始ボタン２３６をクリックする。設定した期間と時間内に処理した検体ＩＤをすべて検索し、検体ＩＤ一覧ウィンドウ２３７に表示する。表示された検体ＩＤにカーソルをあわせると、当該検体をシステムに投入した時刻が表示されるようにするとなお良い。また、再投入された検体については検体ＩＤの後ろに＊マークを表示している。ここで一の検体ＩＤを選択すると、選択された検体ＩＤが選択検体ＩＤ表示ウィンドウ２３４に表示される。この状態で実行ボタン２３２をクリックすることにより、検体ＩＤ解析処理が実行される。
【００３９】
図１７に検体ＩＤ解析結果画面３０４の一例を示す。
【００４０】
この画面は、検体ＩＤ：Ｃ００８２４０１０９７を有する検体が、各モジュールをどのように処理されたかを視覚的に分かり易く表示している。当該検体は時刻０９：５７：１０にＩＰＢモジュールに投入され、ＤＳＰモジュール、ＡＱＮモジュール等を順次搬送されている。検索結果には親検体が各モジュールに到着した時刻およびシステムに投入されてからのトータル時間がかっこ書きで表示されている。
【００４１】
また、当該検体はＡＱＮモジュールで子検体を作成しており、子検体はＡＱＮモジュールで０９：５８：３７に作成され、その後、ＵＣＬモジュール、ＳＢＵ−２モジュール等に搬送されている。子検体がＡＱＮモジュールで作成された時刻および子検体が作成されてから経過したトータルの時間が括弧書きで表示されている。
【００４２】
検索結果画面は、一目で検体の状態がわかるよう、色彩及び／又は形状で検体のステータスを表示することが望ましい。この色分け表示はラックＩＤ検索結果を表示する画面と同様にしておくことで、オペレータに分かりやすい画面表示を提供することができる。
【００４３】
図１２はシステム解析タブもしくはシステム解析ボタン２０９を選択した場合に、入出力装置に表示されるシステム解析画面を示す図である。例えば、ユーザがシステムの導入や既存のシステムの拡張・縮小を検討している場合に、所望するスペックに基づいて最適なシステム構成例を提案することができる機能となる。
【００４４】
ユーザは、導入あるいは変更を希望するシステムの所望のスペックを入力する。本実施例においては、一日の処理検体数設定ウィンドウ２３９、一日の処理ラック数設定ウィンドウ２４０、一時間の処理ラック数設定ウィンドウ２４１が設けられており、ユーザはこれらのいずれかもしくは全部にスペックを入力する。この機能を有する装置は、予め複数のシステム構成について、個別にデータ（データ解析結果）を記憶している。ユーザにより達成したいスペックが指定されると、記憶したデータ内から近似したスペックを達成するシステム構成例を検索し、提案するシステム構成例として提案する。
【００４５】
なお、複数のシステム構成例は、代表的なシステム構成例やメーカ側から推奨するシステム構成例をデータベースとして蓄積していても良いし、サービスマンが顧客に対するサービス提供時に使用するＰＣ等が本機能を備えていることにより、サービスを提供した先の顧客のシステムに関する情報を蓄積し、本発明におけるシステム提案時に利用するようにしても良い。サービスＰＣにて本機能を提供する場合には、サービスＰＣは複数種類の検体検査前処理システムに接続可能であって、接続された検体検査前処理システムからサービスＰＣがデータ解析結果を読み込むのと同時に、当該データ解析の元となったシステムのモジュール構成情報（システムレイアウト）をも読み込む必要がある。サービスＰＣの記憶部には、システムレイアウトと関連付けてデータ解析結果が記憶される。
【００４６】
図１８はシステム解析結果画面３０５の一例を示す。この画面でユーザが所望するスペックを達成する構成としてのモジュールの種別、各モジュールの個数、配列を提案する。
【符号の説明】
【００４７】
１０６  メニュー画面
２０６  アラーム解析画面
２１６  ＴＡＴ解析画面
２２３  ラックＩＤ検索画面
２３１  検体ＩＤ検索画面
３０１  アラーム解析結果画面
３０２  ＴＡＴ解析結果画面
３０３  ラックＩＤ検索結果画面
３０４  検体ID解析結果画面
３０５  システム解析結果画面
【図１】
2014055907.tif 000003
【図２】
2014055907.tif 000004
【図３】
2014055907.tif 000005
【図４】
2014055907.tif 000006
【図５】
2014055907.tif 000007
【図６】
2014055907.tif 000008
【図７】
2014055907.tif 000009
【図８】
2014055907.tif 000010
【図９】
2014055907.tif 000011
【図１０】
2014055907.tif 000012
【図１１】
2014055907.tif 000013
【図１２】
2014055907.tif 000014
【図１３】
2014055907.tif 000015
【図１４】
2014055907.tif 000016
【図１５】
2014055907.tif 000017
【図１６】
2014055907.tif 000018
【図１７】
2014055907.tif 000019
【図１８】
2014055907.tif 000020